(57)【特許請求の範囲】
【請求項１】
反射原稿を照明する反射原稿用ランプと、透過原稿を照明する透過原稿用ランプと、該反射原稿用ランプに照明された反射原稿および透過原稿用ランプに照明された透過原稿を読み取るイメージセンサとを備えた画像読み取り装置であって、
前記反射原稿用ランプおよび前記イメージセンサが収納され、該原稿の副走査方向に移動するキャリッジと、
前記反射原稿用ランプの点灯および消灯、前記透過原稿用ランプの点灯および消灯、前記イメージセンサの動作、および前記キャリッジの位置を制御する制御部と、
前記透過原稿用ランプに点灯が指示されると該指示にしたがい点灯し、前記透過原稿用ランプに消灯が指示されると該指示にしたがい消灯する補助光源と、を有し、
前記キャリッジが所定位置にある場合、前記透過原稿用ランプから放射された光が前記反射原稿用ランプに至る光路と、前記補助光源から放射された光が前記反射原稿用ランプに至る光路とが形成されていて、
前記制御部は、
電源が投入された際、前記キャリッジを白基準の読み取り位置に設定して反射原稿用ランプの点灯を指示し、該指示してから所定時間経過後に前記イメージセンサが読み取った信号を取得する手段と、
前記取得した信号が所定値に満たない場合に前記反射原稿用ランプが点灯していないと判定し、該所定値以上の場合には前記反射原稿用ランプが点灯していると判定する手段と、
前記反射原稿用ランプが点灯していないと判定した場合、該反射原稿用ランプの消灯を指示し、前記キャリッジを前記所定位置に移動させて前記透過原稿用ランプの点灯を指示し、前記透過原稿用ランプからの光および補助光源からの光を該反射原稿用ランプに照射させる手段と、を有すること
を特徴とする画像読み取り装置。
【請求項２】
反射原稿を照明する反射原稿用ランプと、透過原稿を照明する透過原稿用ランプと、該反射原稿用ランプに照明された反射原稿および透過原稿用ランプに照明された透過原稿を読み取るイメージセンサとを備えた画像読み取り装置であって、
前記反射原稿用ランプおよび前記イメージセンサが収納され、該原稿の副走査方向に移動するキャリッジと、
前記反射原稿用ランプの点灯および消灯、前記透過原稿用ランプの点灯および消灯、前記イメージセンサの動作、および前記キャリッジの位置を制御する制御部と、
前記透過原稿用ランプに点灯が指示されると該指示にしたがい点灯し、前記透過原稿用ランプに消灯が指示されると該指示にしたがい消灯する補助光源と、を有し、
前記キャリッジが所定位置にある場合、前記透過原稿用ランプから放射された光が前記反射原稿用ランプに至る光路と、前記補助光源から放射された光が前記反射原稿用ランプに至る光路とが形成されていて、
前記制御部は、
電源が投入された後、利用者の指示を受け付けた場合に、前記キャリッジを白基準の読み取り位置に設定して反射原稿用ランプの点灯を指示し、該指示してから所定時間経過後に前記イメージセンサが読み取った信号を取得する手段と、
前記取得した信号が所定値に満たない場合に前記反射原稿用ランプが点灯していないと判定し、該所定値以上の場合には前記反射原稿用ランプが点灯していると判定する手段と、
前記反射原稿用ランプが点灯していないと判定した場合、該反射原稿用ランプの消灯を指示し、前記キャリッジを前記所定位置に移動させて前記透過原稿用ランプの点灯を指示し、前記透過原稿用ランプからの光および補助光源からの光を該反射原稿用ランプに照射させる手段と、を有すること
を特徴とする画像読み取り装置。
【請求項３】
請求項１又は２に記載の画像読み取り装置であって、
前記制御部は、
前記透過原稿用ランプの点灯の指示から所定時間経過後に、該透過原稿用ランプの消灯を指示し、前記反射原稿用ランプの点灯を指示し、該点灯の指示から所定時間経過後に、前記キャリッジを前記白基準の読み取り位置に移動させる手段を、有する、
ことを特徴とする画像読み取り装置。
【請求項４】
反射原稿を照明する反射原稿用ランプと、透過原稿を照明する透過原稿用ランプと、該反射原稿用ランプに照明された反射原稿および透過原稿用ランプに照明された透過原稿を読み取るイメージセンサとを備えた画像読み取り装置が行うランプの点灯制御方法であって、
前記画像読み取り装置には、前記反射原稿用ランプおよび前記イメージセンサが収納され、該原稿の副走査方向に移動するキャリッジと、前記透過原稿用ランプに点灯が指示されると該指示にしたがい点灯し、前記透過原稿用ランプに消灯が指示されると該指示にしたがい消灯する補助光源と、が設けられていて、
前記キャリッジが所定位置にある場合、前記透過原稿用ランプから放射された光が前記反射原稿用ランプに至る光路と、前記補助光源から放射された光が前記反射原稿用ランプに至る光路とが形成されていて、
電源が投入された際、前記キャリッジを白基準の読み取り位置に設定して反射原稿用ランプの点灯を指示し、該指示してから所定時間経過後に前記イメージセンサが読み取った信号を取得するステップと、
前記取得した信号が所定値に満たない場合に前記反射原稿用ランプが点灯していないと判定し、該所定値以上の場合には前記反射原稿用ランプが点灯していると判定するステップと、
前記反射原稿用ランプが点灯していないと判定した場合、該反射原稿用ランプの消灯を指示し、前記キャリッジを前記所定位置に移動させて前記透過原稿用ランプの点灯を指示し、前記透過原稿用ランプからの光および補助光源からの光を該反射原稿用ランプに照射させるステップと、を実行すること
を特徴とするランプの点灯制御方法。
【発明の詳細な説明】
【技術分野】
【０００１】
本発明は、画像読み取り装置の技術に関する。
【背景技術】
【０００２】
画像読み取り装置には、反射原稿用ランプと、透過原稿用ランプとを備え、文書等の反射原稿および写真フィルム等の透過原稿を読み取るものが知られている。画像読み取り装置では、反射原稿用ランプおよび透過原稿用ランプに、点滅させても寿命が短くなりにくい冷陰極型蛍光ランプ（ＣＣＦＬ）が利用されることが多い。
【０００３】
ところで、ＣＣＦＬは、光が遮断されている暗黒環境に長時間おかれた場合、始動から点灯までの始動時間が長くなるという問題、すなわち「暗黒始動性」が悪いという問題を有している。具体的には、ＣＣＦＬは、ランプの点灯の際に放電のきっかけとなる初期電子が必要である。初期電子は、暗黒環境に放置されると減少する。そのため、ＣＣＦＬは、暗黒環境に放置されると始動時間が長くなってしまう。
【０００４】
したがって、反射原稿用ランプや透過原稿用ランプにＣＣＦＬを用いた画像読み取り装置では、暗黒状態に放置された状態のままで電源を投入すると、ＣＣＦＬが点灯せずに使用できないことがある。例えば、長時間にわたりスキャナ原稿台の蓋を閉めた状態にすると、反射原稿用ランプが設置されているキャリッジに光が受光しない。このような場合、画像読み取り装置は、反射原稿の読み取りに長時間かかってしまう。また、例えば、画像読み取り装置を梱包から取り出してから利用する場合も、反射原稿用ランプおよび透過原稿用ランプに光が当たっていなかったため原稿の読み取りに時間がかかってしまう。
【０００５】
上記の問題を解決する方法として、補助光源を用いる方法が知られている（例えば、特許文献１）。特許文献１では、補助光源により放電ランプを照明して放電ランプの初期電子を増加させるようにしている。そのため、特許文献１では、放電ランプが暗黒環境に長時間おかれた場合であっても、放電ランプの始動時間を短縮することができる。
【０００６】
また、上記の問題を解決する他の方法として、蛍光ランプに外光を導く導光部材を利用する方法も提案されている（例えば、特許文献２）。特許文献２では、導光部材を設けたことで、蛍光ランプが暗黒状態に置かれる可能性を低減することができる。
【０００７】
【特許文献１】特開平１−１３０４６２号公報
【特許文献２】特開平１１−２７５４５７号公報
【発明の開示】
【発明が解決しようとする課題】
【０００８】
しかしながら、上記特許文献１は、以下の問題を有している。具体的には、特許文献１の方法では、ランプを点灯させるたびに補助光源を点灯するようにしている。すなわち、特許文献１では、ランプの暗黒始動性が悪くない場合（例えば、ランプが暗黒状態に置かれていない場合等）でも、補助光源を点灯させてしまう。そのため、特許文献１では、無駄なコストが生じてしまう。
【０００９】
また、特許文献２の方法では、装置が暗黒環境に置かれている場合には、初期電子の減少を防止することができないという問題を有している。装置が暗黒環境の置かれている場合、そもそも、導光部材にも光が受光しないためである。
【００１０】
本発明は、上記事情に鑑みてなされたものであり、本発明の目的は、暗黒始動性の悪いランプを低コストで点灯させる画像読み取り装置を提供することにある。
【課題を解決するための手段】
【００１１】
上記課題を解決するため、本発明の一態様は、反射原稿用ランプの光を原稿に照射して該原稿からの反射光を電気信号に変換する画像読み取り装置に適用される。
【００１２】
そして、前記画像読み取り装置は、前記反射原稿用ランプと、光を検知し電気信号に変換するイメージセンサとが収納され、該原稿の副走査方向に移動するキャリッジと、前記キャリッジが所定位置にある場合に、該キャリッジに収納されている反射原稿用ランプに対して光を照射できる位置に設置されている補助光源と、前記反射原稿用ランプの点灯および消灯、前記補助光源の点灯および消灯、前記イメージセンサの動作、および前記キャリッジの位置を制御する制御部と、を有し、前記制御部は、電源が投入された際、前記キャリッジを白基準の読み取り位置に設定すると共に前記反射原稿用ランプの点灯を指示し、該指示してから所定時間経過後に前記イメージセンサが検知して変換した電気信号を取得する手段と、前記取得した電気信号が所定値に満たない場合に前記反射原稿用ランプが点灯していないと判定し、該所定値以上の場合には前記反射原稿用ランプが点灯していると判定する手段と、前記反射原稿用ランプが点灯していないと判定した場合、前記反射原稿用ランプの消灯を指示し、前記キャリッジを前記所定位置に移動させて前記補助光源を点灯させ、該補助光源の光を反射原稿用ランプに照射させる手段と、を有する。
【００１３】
このように本発明の一態様では、反射原稿用ランプに光を照射する補助光源を設け、電源が投入された際に白基準の読み取りを行い、その読み取った値により反射原稿用ランプが点灯しているか否かを判定するようにしている。すなわち、本一態様では、反射原稿用ランプの点灯判定を、一般的な画像読み取り装置が有する白基準の読み取り機能を利用している。そのため、本一態様では、ランプの点灯判定のために新たな構成を設ける必要がない。また、反射原稿用ランプが点灯していないと判定した場合に補助光源を点灯させて反射原稿用ランプに光を照射するようにしている。したがって、本一態様によれば、画像読み取り装置の暗黒始動性の悪い反射原稿用ランプを低コストで点灯させることができるようになる。
【００１４】
また、前記画像読み取り装置であって、前記補助光源は、発光ダイオード（ＬＥＤ）であることとしてもよい。このように構成するのは、発光ダイオードは、暗黒始動性が悪いという性質を有さないためである。すなわち、本一態様によれば、反射原稿用ランプが点灯しない場合、補助光源の光を確実に反射原稿用ランプに照射させて、暗黒始動性の問題を解消させることができるようになる。
【００１５】
また、前記画像読み取り装置であって、前記キャリッジは、前記白基準の読み取り位置がホームポジションに設定されていることとしてもよい。このように構成することで、画像読み取り装置は、電源が投入された際に、すぐに白基準の読み取り処理を開始することができる。そのため、本一態様によれば、画像読み取り装置の起動処理をより迅速に行うこができる。
【００１６】
また、本発明の他の態様は、反射原稿を照明する反射原稿用ランプと、透過原稿を照明する透過原稿用ランプと、該反射原稿用ランプに照明された反射原稿および透過原稿用ランプに照明された透過原稿を読み取るイメージセンサとを備えた画像読み取り装置に適用される。
【００１７】
そして、前記画像読み取り装置は、前記反射原稿用ランプおよび前記イメージセンサが収納され、該原稿の副走査方向に移動するキャリッジと、前記反射原稿用ランプの点灯および消灯、前記透過原稿用ランプの点灯および消灯、前記イメージセンサの動作、および前記キャリッジの位置を制御する制御部と、前記透過原稿用ランプに点灯が指示されると該指示にしたがい点灯し、前記透過原稿用ランプに消灯が指示されると該指示にしたがい消灯する補助光源と、を有し、前記キャリッジが所定位置にある場合、前記透過原稿用ランプから放射された光が前記反射原稿用ランプに至る光路と、前記補助光源から放射された光が前記反射原稿用ランプに至る光路とが形成されていて、前記制御部は、電源が投入された際、前記キャリッジを白基準の読み取り位置に設定して反射原稿用ランプの点灯を指示し、該指示してから所定時間経過後に前記イメージセンサが読み取った信号を取得する手段と、前記取得した信号が所定値に満たない場合に前記反射原稿用ランプが点灯していないと判定し、該所定値以上の場合には前記反射原稿用ランプが点灯していると判定する手段と、前記反射原稿用ランプが点灯していないと判定した場合、該反射原稿用ランプの消灯を指示し、前記キャリッジを前記所定位置に移動させて前記透過原稿用ランプの点灯を指示し、前記透過原稿用ランプからの光および補助光源からの光を該反射原稿用ランプに照射させる手段と、を有する。
【００１８】
このように、本発明の他の態様によれば、反射原稿用ランプに光を照射する光源として、透過原稿用ランプと、透過原稿用ランプへの指示にしたがい点灯あるいは消灯する補助光源とを利用している。また、電源が投入された際に白基準の読み取りを行い、その読み取った値により反射原稿用ランプが点灯しているか否かを判定している。そして、反射原稿用ランプが点灯していないと判定した場合に透過原稿用ランプおよび補助光源を点灯させて反射原稿用ランプに光を照射するようにしている。そのため、本発明の他の態様によれば、反射原稿用ランプおよび透過原稿用ランプを備えた画像読み取り装置において、暗黒始動性の悪い反射原稿用ランプを低コストで点灯させることができるようになる。
【発明を実施するための最良の形態】
【００１９】
以下、本発明の実施形態について図面を用いて説明する。
【００２０】
先ず、本発明の一実施形態が適用された画像読み取り装置の概略構成について、図１および図２を用いて説明する。
【００２１】
図１は、本発明の実施形態の画像読み取り装置としてのイメージスキャナの内部構造を示す模式図である。図２は、本発明の実施形態のイメージスキャナの図１とは異なる位置での断面を示す模式図である。なお、本実施形態は、プラテン１０に載置された原稿１０００を読み取るフラットベット型のイメージスキャナ１を例にする。原稿１０００は、文書、写真、書籍等の反射原稿、或いは３５ｍｍストリップフィルム、３５ｍｍマウントフィルム、ブローニフィルム等の透過原稿である。
【００２２】
イメージスキャナ１は、原稿カバー１１と、原稿１０００を搭載するためのプラテン１０を備えたハウジング１３とを有する。そして、原稿カバー１１は、ヒンジ１２により、プラテン１０の原稿搭載面１０ａを開放する姿勢と原稿搭載面１０ａを覆う姿勢とに揺動可能な状態でハウジング１３に連結されている。なお、図１および図２に示す原稿カバー１１は、原稿搭載面１０ａを覆う姿勢を示している。
【００２３】
ハウジング１３には、画像補正（シェーディング補正）に利用する白基準板２０００が設けられている。白基準板２０００が設置される位置について特に限定しないが、本実施形態では、プラテン１０の一方の端部に設けられているものとする。
【００２４】
また、ハウジング１３には、原稿搭載面１０ａに平行なガイドロッド１８と、ガイドロッド１８に摺動自在に嵌合しているキャリッジ１７とが収納されている。キャリッジ１７には、反射原稿用ランプ１９、ミラー２０、レンズ２１、およびイメージセンサ２２が搭載されている。キャリッジ１７は、キャリッジ搬送用モータ１０２（図３参照）により駆動されるプーリー（図示しない）に掛けられたベルト（図示しない）により牽引され、原稿搭載面１０ａと平行なＸ方向（副走査方向）に往復移動する。
【００２５】
反射原稿用ランプ１９は、白色冷陰極蛍光ランプ（ＣＣＦＬ）である。ミラー２０およびレンズ２１は、反射原稿用ランプ１９に照明された反射原稿の反射光および透過原稿用ランプに照明された透過原稿の透過光をイメージセンサ２２の受光面に入射させる。反射原稿用ランプ１９、ミラー２０、レンズ２１、およびイメージセンサ２２がキャリッジ１７によりＸ方向に搬送されると、原稿１０００上の主走査線が移動する。
【００２６】
イメージセンサ２２は、受光した光を電気信号（画像信号）に光電変換し、変換した画像信号をアナログフロントエンド（ＡＦＥ）部１０７（図３参照）に出力する。例えば、イメージセンサ２２には、フォトダイオード等により構成されるセル（図示しない）が直線的に多数配列されたリニアイメージセンサを用いることができる。イメージセンサ２２は、多数のセルが管状の反射原稿用ランプ１９の中心軸線と平行に並ぶ姿勢でキャリッジ１７に搭載されている。イメージセンサ２２の各セルには受光量に応じた電荷が光電変換により蓄積される。各画素に蓄積された電荷は、ＣＣＤ（Charge Coupled Devices）によりイメージセンサ２２の出力部に転送される。この電荷転送は、ＣＭＯＳ（Complementary Metal Oxide Semiconductor）により行われてもよい。
【００２７】
原稿カバー１１には、面光源部１４と、反射原稿用ランプ１９に対する補助光源としての発光ダイオード（ＬＥＤ）１５（図２参照）とが設けられている。ＬＥＤ１５は、反射原稿用ランプ１９を照明するための補助光源であり、透過原稿用ランプ１６を照明するためのものではない。面光源部１４は、透過原稿用ランプ１６と、拡散板３３（図５参照）とを有する。透過原稿用ランプ１６は、白色冷陰極蛍光ランプ（ＣＣＦＬ）であり、その長手方向がガイドロッド１８の中心軸と平行に配置されている。面光源部１４は、透過原稿を画一的な照度で照明する。なお、面光源部１４は、反射原稿を読み取る際には、原稿マット３４で覆われる。
【００２８】
続いて、イメージスキャナ１のハードウェア構成について図３を用いて説明する。
【００２９】
図３は、本施形態のイメージスキャナのハードウェアの主要構成図である。図示するように、イメージスキャナ１は、ＬＥＤ１５および透過原稿用ランプ１６の点灯および消灯を制御する透過原稿用ランプコントローラ１００と、反射原稿用ランプ１９の点灯および消灯を制御する反射原稿用ランプコントローラ１０１と、キャリッジ１７を駆動させるためのキャリッジ搬送用モータ１０２と、キャリッジ搬送用モータ１０２の動作を制御するキャリッジコントローラ１０３と、イメージセンサ２２の駆動を制御するイメージセンサコントローラ１０４と、ＣＰＵ（Central Processing Unit）１０５と、各種プログラムや各種データを記憶しているＲＯＭ（Read Only Memory）１０６と、ＡＦＥ（アナログフロントエンド）部１０７と、画像処理部１０８と、ＲＡＭ（Random Access Memory）コントローラ１０９と、ワークエリアとして機能するＲＡＭ（Random Access Memory）１１０と、外部インタフェースコンローラ１１１と、を有する。
【００３０】
具体的には、ＣＰＵ１０５は、ＲＯＭ１０６に記憶されている各種プログラムをＲＡＭ１１０にロードして実行することにより、イメージスキャナ１全体の動作を制御する制御部として機能する。
【００３１】
ＲＡＭコントローラ１０９は、ＣＰＵ１０５、ＲＡＭ１１０、画像処理部１０８、および外部インタフェースコントローラ１１１との間で行われるデータ転送を制御する。
【００３２】
透過原稿用ランプコントローラ１００は、透過原稿用ランプ１６およびＬＥＤ１５の点灯、消灯を制御する。なお、透過原稿用ランプコントローラ１００は、透過原稿用ランプ１６およびＬＥＤ１５を点灯、消灯を制御することでイメージスキャナ１の始動手段としても機能する。具体的には、透過原稿用ランプコントローラ１００は、図示しないインバータ回路および制御回路等を備え、ＣＰＵ１０５からの指示にしたがい、透過原稿用ランプ１６およびＬＥＤ１５の点灯、消灯を制御する。
【００３３】
なお、透過原稿用ランプ１６およびＬＥＤ１５は、透過原稿用ランプコントローラ１００に並列に接続されている。そして、透過原稿用ランプコントローラ１６が透過原稿用ランプ１６に点灯を指示すると、その指示に合わせてＬＥＤ１５も点灯する。また、透過原稿用ランプコントローラ１００が透過原稿用ランプ１６を消灯させるとＬＥＤ１５も共に消灯する。
【００３４】
反射原稿用ランプコントローラ１０１は、反射原稿用ランプ１９の点灯、消灯を制御する。具体的には、反射原稿用ランプコントローラ１０１は、図示しないインバータ回路および制御回路等を備え、ＣＰＵ１０５からの指示にしたがい、反射原稿用ランプ１９の点灯、消灯を制御する。
【００３５】
イメージセンサコントローラ１０４は、ＣＰＵ１０５からの指示にしたがいイメージセンサ２２の駆動を制御する。具体的には、イメージセンサコントローラ１０４は、イメージセンサ２２の駆動に必要な駆動パルスをイメージセンサ２２に出力する駆動回路である。イメージセンサコントローラ１０４には、例えば同期信号発生器、駆動用タイミングジェネレータなどから構成される。
【００３６】
キャリッジコントローラ１０３は、ＣＰＵ１０５からの指示にしたがいキャリッジ搬送用モータ１０２の駆動を制御してキャリッジ１７を移動させる。具体的には、キャリッジ搬送用モータ駆動回路、制御回路などから構成される。そして、キャリッジコントローラ１０３は、ＣＰＵ１０５からの制御信号にしたがい、キャリッジ搬送用モータ１０２の回転方向、回転測度を制御する。
【００３７】
ＡＦＥ部１０７は、イメージセンサ２２からの画像情報を受付ける。ＡＦＥ部１０７は、受付けた画像情報に対してＣＤＳ（Correlated Double Sampling）処理、画像の黒レベルを再現するためのオプティカル・ブラック・クランプ制御、画像の電気信号のゲイン調整による電気信号のレベル調整処理、および量子化処理などを行ってデジタル化された画像情報（スキャン画像）を画像処理部１０８に出力する。
【００３８】
画像処理部１０８は、ＡＦＥ部１０７からの画像情報に画像処理を行うＤＳＰ（Digital Signal Processor）である。具体的には、画像処理部１０８は、ＣＰＵ１０５と協働し、ＡＦＥ部１０７から受付けた画像情報に対してガンマ補正、シェーディング補正などの画像処理を行う。
【００３９】
外部インタフェースコントローラ１１１は、イメージスキャナ１と外部の装置（例えば、イメージスキャナ１に接続されたＰＣ）との間で行うデータの授受を制御する。
【００４０】
次に、ＬＥＤ１５から反射原稿用ランプ１９に至る光路と、透過原稿用ランプ１６から反射原稿用ランプ１９に至る光路とについて説明する。
【００４１】
図４は、ハウジング１３を上面から見た斜視図である。ハウジング１３の上壁部には、上壁部を貫通する通孔４０および通孔４１が形成されている。通孔４０は、原稿カバー１１に設けられている透過原稿用ランプ１６からの光を反射原稿用ランプ１９に照射させるために設けられている。通孔４１は、原稿カバー１１に設けられているＬＥＤ１５かの光を反射原稿用ランプ１９に照射させるために設けられている。
【００４２】
また、反射原稿用ランプ１９は、後述するタイミングでキャリッジ１７により破線が示す位置（補助光源位置）まで搬送される。すなわち、キャリッジ１７が補助光源位置にある場合、反射原稿用ランプ１９の長手方向の中央部は、孔４０の略真下に位置する。また、キャリッジ１７が補助光源位置にある場合、反射原稿用ランプ１９の長手方向の一端は、通孔４１の略真下に位置する。なお、通孔４０および通孔４１は、いずれも、プラテン１０の原稿搭載面１０ａから離れた位置に設けられている。また、通孔４０および４１は、いずれも、原稿マット３４を取り付けた状態の原稿カバー１１を閉じても原稿マット３４により覆われることはない（図１、２参照）。
【００４３】
図５は、原稿マット３４が取り付けられていない状態の原稿カバー１１の下面の斜視図である。原稿カバー１１の下面部には、拡散板３３が設けられている。拡散板３３は、原稿カバー１１にあるガイドロッド１８の長手方向に平行に延びる位置に設置されている。また、原稿カバー１１の下面部には、反射原稿用ランプ１９を照明するためのＬＥＤ１５が設けられている。具体的には、ＬＥＤ１５は、原稿カバー１１を閉じた状態、つまり原稿カバー１１が原稿搭載面１０ａを覆う状態において、上述した通孔４１の略真上の位置に設置される。
【００４４】
図６は、原稿マット３４を取り付けた状態の原稿カバー１１の下面の斜視図である。図示するように原稿マット３４は、例えば樹脂製の支持部材３５に支持されて原稿カバー１１に取り付けられる。支持部材３５には、通孔４２、および通孔４３が形成されている。通孔４２は、原稿カバー１１を閉じた状態において、通孔４０の略真上であり、且つ拡散板３３の略真下の位置に形成されている。また、通孔４３は、原稿カバー１１を閉じた状態において、通孔４１の略真上であり、且つＬＥＤ１５の略真下になる位置に形成されている。
【００４５】
このように、原稿カバー１１およびハウジング１３を構成することで、ＬＥＤ１５から反射原稿用ランプ１９に至る光路、および透過原稿用ランプ１６から反射原稿用ランプ１９に至る光路が確保される。以下、光路について、原稿カバー１１に原稿マット３４を取り付けた状態と、原稿カバー１１に原稿マット３４を取り付けない状態とに分けて詳細に説明する。
【００４６】
先ず、原稿マット３４が取り付けられていない状態での光路について説明する。原稿マット３４が取り付けられていない状態の原稿カバー１１を閉じると、ハウジング１３の上壁部に設けられた通孔４１は、ＬＥＤ１５の略真下に位置する。また、ハウジング１３の上壁部に設けられた通孔４０は、拡散板３３の略真下に位置する。この状態で、キャリッジ１７を補助光源位置に移動させると、通孔４０および４１の略真下に反射原稿用ランプ１９が位置する。
【００４７】
そして、ＬＥＤ１５を点灯させると、ＬＥＤ１５の光は、通孔４１を通過して反射原稿用ランプ１９に至る光路により、反射原稿用ランプ１９に照射する。また、透過原稿用ランプ１６を点灯させると、透過原稿用ランプ１６の光は、拡散板３３で拡散され、その拡散された光が通孔４０を通過する光路を経由して反射原稿用ランプ１９に照射する。
【００４８】
次に、原稿マット３４が取り付けられている状態での光路について説明する。原稿マット３４が取り付けられている状態の原稿カバー１１を閉じるとハウジング１３の上壁部に設けられた通孔４１は、支持部材３５に形成された通孔４３の略真下に位置する（図２参照）。また、ハウジング１３の上壁部に設けられた通孔４０は、支持部材３５に形成された通孔４２の略真下に位置する（図１参照）。この状態で、キャリッジ１７を補助光源位置に移動させると、反射原稿用ランプ１９は、上記と同様、通孔４０および４１の略真下に位置する。
【００４９】
そして、ＬＥＤ１５を点灯させると、ＬＥＤ１５の光は、支持部材３５の通孔４３およびハウジング１３の通孔４１により形成される光路を通過して反射原稿用ランプ１９の一方の端部に照射される。また、透過原稿用ランプ１６を点灯させると、透過原稿用ランプ１６の光は、拡散板３３で拡散された後、支持部材３５の通孔４２およびハウジング１３の通孔４０によって形成される光路を通過して反射原稿用ランプ１９の中央部に照射される。
【００５０】
なお、透過原稿用ランプ１６から反射原稿用ランプ１９に至る光路は、透過原稿用ランプ１６が反射原稿用ランプ１９を照明するための光路となると共に、さらに、反射原稿用ランプ１９が透過原稿用ランプ１６を照明するための光路にもなる。
【００５１】
次に、本実施形態のイメージスキャナの反射原稿用ランプ１９の点灯補助処理について、図７を用いて説明する。なお、図示する処理は、イメージスキャナ１に電源投入した際に開始される処理である。
【００５２】
図７は、本実施形態の反射原稿用ランプの点灯補助処理のフロー図である。なお、本実施形態では、キャリッジ１７のホームポジションが、白基準板２０００からの反射光をイメージセンサ２１が検出できる位置に定められているものとする。また、ＣＰＵ１０５は、イメージスキャナ１が待機状態の場合、キャリッジ１７をホームポジションに位置するよう制御するものとする。
【００５３】
先ず、イメージスキャナ１は、電源が投入されると白基準板２０００の読み取り処理を行う(Ｓ１００〜Ｓ１０３)。なお、Ｓ１００〜Ｓ１０３において、イメージスキャナ１のキャリッジ１７は、ホームポジションに位置している。したがって、本実施形態では、電源が投入された際、キャリッジ１７を移動させることなく白基準板２０００を読み取りを開始できる。以下、Ｓ１００〜Ｓ１０３の処理を詳細に示す。
【００５４】
Ｓ１００では、ＣＰＵ１０５は、反射原稿用ランプ１９の点灯処理を行う。具体的には、ＣＰＵ１０５は、反射原稿用ランプコントローラ１０１に反射原稿用ランプ１９の点灯処理を行わせる。なお、反射原稿用ランプ１９が暗黒状態に長時間おかれている場合、反射原稿用ランプコントローラ１０１が反射原稿用ランプ１９の点灯処理をしても（反射原稿用ランプ１９に所定の電圧を印加しても）、反射原稿用ランプ１９が点灯しないことがある。
【００５５】
続いて、ＣＰＵ１０５は、ＡＦＥ部１０７にイメージセンサ２２からデータをサンプリングするタイミングを指示する（Ｓ１０１）。ＡＦＥ部１０７は、ＣＰＵ１０５からの指示されたタイミングにしたがい、所定時間（ＴｃｋＡ（例えば数秒））待ち（Ｓ１０２）、その後、イメージセンサ２２が出力するデータを取得する。ＡＦＥ部１０７が取得したデータは、画像処理部１０８を経由して、ＣＰＵ１０５に出力される（Ｓ１０３）。なお、イメージセンサ２２は、受光した光を検出し、その検出した光を光電変換する。イメージセンサ２２は、光電変換して得られたデータ（イメージセンサ２２が受光した光量を示す電気信号）をＡＦＥ部１０７に出力する。
【００５６】
次に、イメージスキャナ１は、反射原稿用ランプ１９が点灯しているか否かの判定を行う（Ｓ１０４）。そして、反射原稿用ランプ１９が点灯していないと判定した場合にＳ１０５に進み、点灯していると判定した場合には点灯補助処理を終了する。具体的には、ＣＰＵ１０５は、ＡＦＥ部１０７を介して取得したデータと、予め設定されているしきい値（所定値）とを比較する。ＣＰＵ１０５は、ＡＦＥ部１０７を介して取得したデータが所定値以上であれば反射原稿用ランプ１９が点灯していると判定する。また、ＣＰＵ１０５は、ＡＦＥ部１０７を介して取得したデータが所定値に満たなければ、反射原稿用ランプ１９が点灯していないと判定する。
【００５７】
このように判定するのは以下の理由による。すなわち、Ｓ１０３において、ＡＦＥ部１０７を介して取得するデータとは、イメージセンサ２２が受光した光量を示している。そして、Ｓ１００〜Ｓ１０３では、キャリッジ１７は、ホームポジションにある。そのため、反射原稿用ランプ１９が点灯していれば、イメージセンサ２２は、白基準板２０００からの反射光を受光していることとなる。また、イメージセンサ２２が白基準板２０００からの反射光を検知して出力するデータは、予め推定できる。したがって、本実施形態では、白基準板２０００からの反射光を検知したデータを推定した所定値を設定しておき、Ｓ１０３で読み出したデータと所定値とを比較することで、反射原稿用ランプ１９が点灯しているか否かを判定するようにしている。
【００５８】
続いて、Ｓ１０４において反射原稿用ランプ１９が点灯していないと判定された場合に進むＳ１０５以降の処理を説明する。
【００５９】
Ｓ１０５では、イメージスキャナ１は、キャリッジ１７を補助光源位置まで移動させる。具体的には、ＣＰＵ１０５は、キャリッジコントローラ１０３を制御してキャリッジ１７をホームポジションから補助光源位置に移動させる。
【００６０】
続いて、イメージスキャナ１は、反射原稿用ランプ１９の消灯を指示する（Ｓ１０６）。具体的には、ＣＰＵ１０５は、反射原稿用ランプコントローラ１０１の反射原稿用ランプ１９に対する制御を、点灯処理から消灯処理に切り替える。
【００６１】
次に、イメージスキャナ１は、透過原稿用ランプ１６の点灯処理を行う（Ｓ１０７）。具体的には、ＣＰＵ１０５は、透過原稿用ランプコントローラ１００に透過原稿用ランプ１６の点灯を指示する。透過原稿用ランプコントローラ１００は、ＣＰＵ１０５からの指示を受け、透過原稿用ランプ１６に対する点灯処理を行う。本実施形態では、透過原稿用ランプ１６に対する点灯処理をすれば、併せてＬＥＤ１５への点灯処理が行われる。
【００６２】
なお、Ｓ１０７において、透過原稿用ランプ１６およびＬＥＤ１５が暗黒状態に長時間おかれていることもあり得る。しかし、ＬＥＤ１５は、透過原稿用ランプ１６と異なり、暗黒始動性の問題を有さない。すなわち、ＬＥＤ１５は、暗黒状態に長時間おかれても点灯するまでに長時間費やすことはない。そのため、本ステップにより、少なくともＬＥＤ１５は点灯する。
【００６３】
次に、イメージスキャナ１は、所定時間（ＴｃｋＢ（例えば数秒））待機し（Ｓ１０８）、その後、透過原稿用ランプ１６の消灯処理を行う（Ｓ１０９）。なお、本実施形態では、透過原稿用ランプ１６の消灯処理をすれば、併せてＬＥＤ１５への消灯処理も行われる。具体的には、ＣＰＵ１０５が、透過原稿用ランプコントローラ１００に、所定時間（ＴｃｋＢ）経過するまでＬＥＤ１５および透過原稿用ランプ１６の点灯処理を実行させる。ＣＰＵ１０５は、透過原稿用ランプコントローラ１００に、所定時間（ＴｃｋＢ）経過後にＬＥＤ１５および透過原稿用ランプ１６の消灯処理を実行させる。
【００６４】
このように、Ｓ１０７〜Ｓ１０９の処理により、反射原稿用ランプ１９には、少なくともＬＥＤ１５からの光が所定時間（ＴｃｋＢ）照射されることとなる。すなわち、ＬＥＤ１５からの光は、上述した光路により反射原稿用ランプ１９に照射される。なお、Ｓ１０７における指示に従い透過原稿用ランプ１６が点灯していれば、透過原稿用ランプ１６の光も上述した光路により反射原稿用ランプ１９に照射される。すなわち、この場合には、透過原稿用ランプ１６は、補助光源として機能する。その結果、反射原稿用ランプ１６の初期電子が増加し、反射原稿用ランプ１９の始動時間が短縮する。
【００６５】
続いて、イメージスキャナ１は、反射原稿用ランプ１９を点灯させて（Ｓ１１０）、キャリッジ１７をホームポジションに移動させる（Ｓ１１１）。具体的には、ＣＰＵ１０５は、Ｓ１００と同様の手順で反射原稿用ランプ１９の点灯処理を行う。その後、ＣＰＵ１０５は、キャリッジコントローラ１０３を制御して、キャリッジ１７を補助光源位置からホームポジションに移動させる。なお、Ｓ１０７〜Ｓ１０９の処理により、反射原稿用ランプ１６の初期電子が増加しているため、Ｓ１１０では、反射原稿用ランプ１６は、すぐに点灯する。
【００６６】
Ｓ１１１の処理の後、点灯補助処理を終了する。なお、点灯補助処理が終了した後に行われる、原稿読み取り処理は、従来技術により実現されるため、ここでの説明は省略する。
【００６７】
このように、本実施形態では、電源が投入された際に、所定時間待って、白基準板２０００の読み込みをし、読み込んだデータにより反射原稿用ランプ１９が点灯したか否かを判定するようにしている。
【００６８】
そのため、本実施形態によれば、反射原稿用ランプ１９が点灯したか否かを高精度に判定することが可能になる。これは、白基準板２０００からの反射光の量を推測できるためである。すなわち、白基準板２０００の読み込みを指示したにもかかわらず、イメージセンサ２２からのデータが所定値に満たない場合、反射原稿用ランプ１９が不点灯状態であると考えられるためである。
【００６９】
そして、本実施形態では、反射原稿用ランプ１９が点灯していないと判定された場合に、補助光源により反射原稿用ランプ１９を照明するようにしている。そのため、本実施形態によれば、反射原稿用ランプ１９が暗黒状態に長時間置かれているような場合でも、イメージスキャナ１の暗黒始動性の悪化を防ぐことができる。
【００７０】
なお、本実施形態では、補助光源として原稿カバー１１に設けられた透過原稿用ランプ１６に加えて、暗黒始動性の問題を有さないＬＥＤ１５を用いるようにしている。そのため、一方の補助光源として機能する透過原稿用ランプ１６が暗黒状態におかれていて点灯しなくても、ＬＥＤ１５を点灯させることができる。その結果、本実施形態では、反射原稿用ランプ１９が、暗黒始動性が悪いことにより点灯しない場合に、確実に反射原稿用ランプ１９に光を照射して、暗黒始動性の悪化を改善できる。
【００７１】
さらに、白基準板２０００の読み取り処理は、一般的なイメージスキャナ１が原稿を読み取る際に行われている処理である。そのため、本実施形態では、イメージスキャナ１に新たな構成を付加することなく、反射原稿用ランプ１９が点灯したか否かを判定することができるようになる。
【００７２】
また、本実施形態では、反射原稿用ランプ１９が点灯したか否かを精度高く判定できるため、必要な場合にだけ補助光源を点灯すればよい。すなわち、本実施形態によれば、暗黒始動性の悪化の防止を低コストで実現することができる。
【００７３】
なお、本発明は以上で説明した実施形態に限定されるものではなく、本発明の要旨の範囲内において種々の変形が可能である。例えば、上記実施形態の説明では、画像読み取り装置としてイメージスキャナを例示したがもちろんこれに限定されるものではない。例えば、画像読み取り装置は、複写機であってもよい。また、画像読み取り機能を備えた複合機などにも本実施形態は適用可能である。そして、特に複合機では、原稿カバーが長時間にわたり閉じられた状態になることが多いと想定される。すなわち、反射原稿用ランプが長時間にわたり暗黒状態に置かれる可能性が高いと想定される。そのため、本実施形態を複合機に利用すれば、暗黒始動性の悪化によるランプの不点灯防止に特に有効である。
【００７４】
また、本実施形態では、補助光源としてＬＥＤ１５を利用したが、これは例示に過ぎない。例えば、補助光源は、白熱電球などであってもよい。
【００７５】
さらに、本実施形態で説明したＬＥＤ１５から反射原稿用ランプ１９までの光路や透過原稿用ランプ１６から反射原稿用ランプ１９まので光路のために形成された通孔４０〜４３の位置は例示に過ぎない。
【００７６】
また、本実施形態では、電源投入された際に、図７の各処理を行うようにしているが特にこれに限定するものではない。例えば、利用者から点灯補助処理の指示を受付けられるようにしておいて、その指示を受付けた場合にだけ、図７の処理を行うようにしてもよい。また、利用者から反射原稿の読み取り処理の要求を受付けた場合に、図７の処理を行うようにしてもよい。
【００７７】
また、本実施形態の点灯補助処理の手順として示した図７は、例示に過ぎない。例えば、Ｓ１０５とＳ１０６の順序を入れ替えても同様の効果を奏することができる。また、Ｓ１１０において、補助光源位置で反射原稿用ランプ１９を点灯させた後、所定の時間経過してからＳ１１１の処理に進むようにしてもよい。このようにしておけば、反射原稿用ランプ１９からの光が光路を介して透過原稿用ランプ１６に所定の時間照射されるようになる。その結果、反射原稿用ランプ１９への点灯補助処理が行われると、透過原稿用ランプ１６の暗黒始動性の悪化を併せて防ぐことができる。
【図面の簡単な説明】
【００７８】
【図１】本実施形態のイメージスキャナの内部構造を示す模式図である。
【図２】本実施形態のイメージスキャナの図１とは異なる位置での断面図。
【図３】本施形態のイメージスキャナのハードウェアの主要構成図。
【図４】本実施形態のハウジング１３を上面から見た斜視図。
【図５】原稿マットが取り付けられていない原稿カバーの下面斜視図。
【図６】原稿マットを取り付けた原稿カバー１１の下面斜視図。
【図７】本実施形態の反射原稿用ランプの点灯補助処理のフロー図。
【符号の説明】
【００７９】
１…イメージスキャナ、１０…プラテン、１１…原稿カバー、１２…ヒンジ、１３…ハウジング、１４…面光源部、１５…ＬＥＤ、１６…透過原稿用ランプ、１７…キャリッジ、１８…ガイドロッド、１９…反射原稿用ランプ、２０…ミラー、２１…レンズ、２２…イメージセンサ、３３…拡散板、３４…原稿マット、３５…支持部材、４０〜４３…通孔、１００…透過原稿用ランプコントローラ、１０１…反射原稿用ランプコントローラ、１０２…キャリッジ搬送用モータ、１０３…キャリッジコントローラ、１０４…イメージセンサコントローラ、１０５…ＣＰＵ、１０６…ＲＯＭ、１０７…ＡＦＥ部、１０８…画像処理部、１０９…ＲＡＭコントローラ、１１０…ＲＡＭ、１１１…外部インタフェースコントローラ、１０００…原稿、２０００…白基準板
【図１】
0004635808.tif 000002
【図２】
0004635808.tif 000003
【図３】
0004635808.tif 000004
【図４】
0004635808.tif 000005
【図５】
0004635808.tif 000006
【図６】
0004635808.tif 000007
【図７】
0004635808.tif 000008